(57)【特許請求の範囲】
【請求項１】
冷却された飲料を消費者に提供する方法において、
(a)  チャンバの内部が冷却を必要としていることを判定する工程、および
(b)  圧縮機の反復動作と共に蒸発器ファンを反復動作させる工程であって、前記蒸発器ファンの反復動作工程が、前記蒸発器ファンをオン状態に切り換え、次いで、前記蒸発器ファンをオフ状態に切り換える各工程を含み、前記圧縮機の反復動作工程が、前記圧縮機をオン状態に切り換え、次いで、前記圧縮機をオフ状態に切り換える各工程を含み、前記蒸発器ファンの反復動作は前記チャンバの内部の温度と前記蒸発器の温度との比較結果に基づいて制御されることを特徴とする方法。
【請求項２】
前記蒸発器ファンのオン状態が前記圧縮機のオン状態と実質的に同時に始まることを特徴とする請求項１記載の方法。
【請求項３】
前記蒸発器ファンのオフ状態が、前記圧縮機のオフ状態の開始後に始まることを特徴とする請求項１または２記載の方法。
【請求項４】
前記蒸発器ファンを反復動作させる工程が、前記蒸発器の温度が前記チャンバの内部の温度に近くなるか等しくなると前記蒸発器ファンを停止させることを特徴とする請求項２記載の方法。
【請求項５】
前記蒸発器ファンのオフ状態が、温度センサから受信した信号に応答して始まることを特徴とする請求項４記載の方法。
【請求項６】
前記蒸発器ファンのオン状態が、前記圧縮機のオン状態が始まった後に始まり、前記蒸発器ファンのオフ状態が、前記圧縮機のオフ状態が始まった後に始まることを特徴とする請求項１記載の方法。
【請求項７】
前記方法が、さらに、
(c) 前記チャンバ内に収容された商品の承認された選択を受理する工程を有し、
該(c)の受理する工程が、
(i)  支払いが行われたことを判定する工程、および
(ii)  支払いが行われたことの判定に応答して、前記商品の選択に関連するユーザの入力を受諾する工程、
を含むことを特徴とする請求項１から６いずれか1項記載の方法。
【請求項８】
前記方法が、さらに、
(c)  前記チャンバ内に収容された商品の承認された選択を受理する工程、および
(d)  選択された前記商品を冷たい状態で自動的に提供する工程、を有し、
前記商品が、炭酸飲料が充填された飲料容器であることを特徴とする請求項１から６いずれか１項記載の方法。
【請求項９】
前記方法が、
(ｃ)   前記蒸発器上の結氷の蓄積を防ぐために所定の期間後にある間隔で前記蒸発器ファンを反復動作させる工程をさらに含むことを特徴とする請求項１記載の方法。
【請求項１０】
ハウジング、
前記ハウジング内に少なくとも部分的に位置し、一つ以上の製品を冷却状態で保持するように構成された冷蔵モジュールであって、チャンバと、第１のファンと、蒸発器と、前記チャンバ内の温度を示す第一の温度センサと、前記蒸発器の温度を示す第二の温度センサとを備え、前記第１のファンが前記蒸発器を横切るように空気を向けるように構成されている冷蔵モジュール、
前記蒸発器と流体連絡した圧縮機および凝縮器を備えた熱排除モジュール、および
前記圧縮機の反復動作と共に前記第１のファンを反復動作させるように構成された制御モジュール、を備えてなり、
前記制御モジュールにより、前記第１のファンの反復動作が、前記第一の温度センサで測定された前記冷蔵モジュールのチャンバ内部の温度と前記第二の温度センサで測定された前記蒸発器の温度との比較結果に基づいて制御されることを特徴とするシステム。
【請求項１１】
前記冷蔵モジュールが、前記蒸発器を暖めるように構成された加熱素子を備えていないことを特徴とする請求項１０記載のシステム。
【請求項１２】
前記第１のファンの反復動作が、前記第１のファンをオン状態に切り換え、次いで、前記第１のファンをオフ状態に切り換える各動作を含み、前記圧縮機の反復動作が、前記圧縮機をオン状態に切り換え、次いで、前記圧縮機をオフ状態に切り換える各動作を含み、前記制御モジュールが、前記第１のファンおよび前記圧縮機のオン状態を実質的に同時に始めさせるように構成されていることを特徴とする請求項１０または１１記載のシステム。
【請求項１３】
前記制御モジュールが、前記第１のファンのオフ状態を、前記圧縮機のオフ状態と実質的に同時に始めさせるように構成されていることを特徴とする請求項１０から１２いずれか１項記載のシステム。
【請求項１４】
前記制御モジュールが、前記第１のファンのオフ状態を、前記圧縮機のオフ状態の後に始めさせるように構成されていることを特徴とする請求項１０から１２いずれか１項記載のシステム。
【請求項１５】
前記第１のファンのオフ状態が、前記圧縮機のオフ状態から所定の期間後に始まることを特徴とする請求項１４記載のシステム。
【請求項１６】
前記第１のファンのオフ状態が、センサから受信した信号に応答して始まることを特徴とする請求項１４記載のシステム。
【請求項１７】
前記熱排除モジュールが、前記凝縮器を横切るように空気を向けるように構成された第２のファンをさらに備えることを特徴とする請求項１０から１６いずれか１項記載のシステム。
【請求項１８】
前記反復動作がオン状態およびオフ状態を含み、前記制御モジュールが、前記第１のファンのオン状態を前記圧縮機のオン状態の後に始めさせるように構成されていることを特徴とする請求項１０、１１、１３から１７いずれか１項記載のシステム。
【請求項１９】
前記制御モジュールが、前記圧縮機の始動および停止と実質的に同時に前記ファンを始動し停止させるように構成されたことを特徴とする請求項１０または１１記載のシステム。
【請求項２０】
前記システムが、
前記ハウジングに搭載され、ユーザからの飲料の承認された飲料の選択を受諾するように構成されたユーザ・インターフェース、
前記ハウジングに設けられ、送出された飲料へのアクセスを提供するように構成された飲料送出モジュール、および
承認されたユーザの選択に応答して、飲料を前記冷蔵モジュールから前記飲料送出モジュールに送出するように構成された送達モジュール、
をさらに有することを特徴とする請求項１０から１９いずれか１項記載のシステム。
【請求項２１】
冷却されることが望ましいチャンバ内に位置するように構成された蒸発器、
前記蒸発器に空気を向けるように構成されたファン、
前記蒸発器と流体連絡した圧縮機、
前記蒸発器および前記圧縮機と流体連絡した凝縮器、
チャンバ内の温度を示す第一の温度センサ、
前記蒸発器の温度を示す第二の温度センサ、
前記凝縮器と前記蒸発器との間に位置し、それらと流体連絡した膨張弁、および
前記温度センサにより提供された信号に応答して前記圧縮機をオン状態に切り換え、次いでオフ状態に切り換える反復動作をさせるように構成された制御モジュールであって、前記圧縮機の反復動作に応答して前記ファンをオン状態に切り換え、次いでオフ状態に切り換える反復動作をさせるように構成され、前記ファンの反復動作を前記第一の温度センサで測定した前記チャンバの温度と前記第二の温度センサで測定した前記蒸発器の温度との比較結果に基づいて制御する制御モジュール、
を備え、
前記蒸発器の霜取りを行うための加熱素子が設けられていないことを特徴とする熱交換システム。
【発明の詳細な説明】
【技術分野】
【０００１】
本発明は、自動販売システムの分野に関し、より詳しくは、冷却物品を提供するように構成された自動販売機の分野に関する。
【背景技術】
【０００２】
消費者は、自動販売機のお陰で、販売主に代わって人が店舗に立ち、取引きを行うような費用のかかる対面販売の必要なく、一日中、比較的安価な商品を購入することができる。それゆえ、自動販売機は、消費者への利便性を向上させる能力を備えており、取引費用のためにそうしなければ可能ではないであろう取引きを可能にするので、成功している。自動販売機は、様々な製品のために様々な形態で存在する。しかしながら、一般的な特徴の１つは、特定の製品に関して、その製品が、消費者に渡るときに、冷却されているという要望があることである。例えば、消費者にとって、水の冷たいボトルは、特に夏の暑い時期には、熱いボトルよりも一層望ましいと一般に考えられる。
【０００３】
特定の製品の望ましさが冷却により向上することが十分に受け入れられているが、適切に冷却された製品を手頃な費用でどのように提供するかという課題がある。例えば、倉庫内に設置された自動販売機は、夏期に著しい熱負荷を経験するであろう。一般に、このことは転じて、使用電力量が既にピーク近くにあるときに、運転費が増し、エネルギー必要量が多くなる。したがって、自動販売機内に貯蔵されている製品を適切な温度に維持するのに必要なエネルギーを減少させることが、自動販売機の経営者、並びに社会全般にとって有益であろう。
【発明の開示】
【発明が解決しようとする課題】
【０００４】
当然ながら、断熱および構成部品の設計を改良することにより、効率性をある程度は向上させることはできるが、空間の制約、材料費および材料の性質のために、そのような手段により可能な効率性が向上する程度は限られる。さらに、断熱および構成部品の効率が改善されるにつれて、追加の改善により、利益率が減少する。したがって、自動販売システムの効率を改善する他の方法が、高く評価されるであろう。
【課題を解決するための手段】
【０００５】
自動販売機システムおよび動作方法が開示されている。自動販売機システムはチャンバを備えている。このチャンバは、チャンバ内に配置された蒸発器と蒸発器ファンおよびチャンバ外に配置された圧縮機と凝縮器を備えた冷蔵システムにより冷却される。この冷蔵システムは、蒸発器の霜を取るための加熱素子を持たなくてもよい。蒸発器ファンを圧縮機および冷却材計量デバイスと共に反復動作(cycling)させるために制御モジュールが提供される。制御構成について、その制御モジュールが、チャンバと製品を所要の仕様に維持するために要求される設定温度に基づいて、圧縮機の始動と停止を制御する。ある実施の形態において、圧縮機と蒸発器ファンは、実質的に同時に、オン・オフされる。蒸発器ファンは、センサ信号に基づいて圧縮機が停止した後、短期間に亘りそれ自体の運動エネルギー下で作動してもよい。信号を制御モジュールに送るセンサは、正確な所要の冷却負荷を捕捉するために、蒸発器の表面に位置している。直接接続について、蒸発器ファンは、それと共に作動し、同時に停止するために、圧縮機に直接接続されている。制御モジュールの構成および直接の構成において、蒸発器に配置されているセンサは、所要の温度に基づいて、圧縮機を始動または停止させるために信号を送ってもよい。
【０００６】
自動販売機は、取引きを完了するために人が存在する必要なく、配置に融通性があるために、有益なサービスを提供する。それゆえ、自動販売機は、取引きの効率性のために、有用な経済的利益を提供し、それにより、消費者にとってのコストが安くなる。例えば、飲料の自動販売機は、ユーザの迅速な支払いを可能にし、ユーザの選択した商品の受取り時に、冷えた飲料を提供する。この融通性には、潜在的な副作用がある。消費者の利便性を最大限に発揮する場所に自動販売機を設置できることには、自動販売機を著しい熱負荷に曝す可能性がある。熱負荷は転じて、飲料が充填された容器などの、自動販売機内に貯蔵された商品を所望の温度に維持するために、著しいエネルギーが使われることを要する。したがって、融通性のある都合の良い設置を提供しながら、所要のエネルギーを減少させることが望ましい。
【発明を実施するための最良の形態】
【０００７】
本発明は、実例により説明されるものであり、同様の参照番号が同様の構成部材を示している添付の図面において制限されない。
【０００８】
図１〜４は、飲料充填容器の自動販売システムの実施の形態を示している。そのようなシステムは、消費者に、例えば、炭酸飲料や栄養補給飲料（これらに限定されない）を提供するのに適している。さらに、そのような自動販売システムは、プラスチックボトルおよびアルミニウム缶などの様々な異なる種類の飲料容器に使用できるように構成することができる。しかしながら、飲料充填容器以外の商品を送達させるために設計された自動販売システムも、ここに開示された様々な態様を利用してもよく、したがって、この開示は、この態様において、制限するものと意図されないことに留意すべきである。
【０００９】
自動販売システム１０はハウジング５０を備え、ハウジング５０には、ユーザ・インターフェース１００および飲料送出モジュール１５０が設けられているのが図示されている。ユーザ・インターフェース１００は、ユーザが支払いを行い、次いで、好みの飲料を選択できるように、支払いモジュール１１０および選択モジュール１２０上の複数の選択要素１２２を備えている。送達モジュール１７０は、選択された飲料充填容器を、飲料送出モジュール１５０に送出する。飲料送出モジュール１５０は、ユーザが、飲料充填容器を、保持部分１５８内に置かれたときに取ることができるようにする開口部１５５を備えている。使用の合間に埃などが開口部１５５に入るのを防ぐために、カバー（図示せず）が設けられていてもよい。
【００１０】
飲料充填容器の送出を制御するために、制御モジュール２００が設けられている。支払いを行う前に選択要素１２２を押しても、なんの効果もない傾向がある（ただし、自動販売機が、支払いを要求しないように設定されており、ユーザが選択することが予め認められてる場合を除く）。しかしながら、最初に、ユーザが支払いモジュール１１０に通貨または何らかの形態の電子支払いのいずれかを与えた場合、次いで、ユーザは、選択を行い、飲料充填容器を受け取ることができる。一旦、支払いが行われたことが確定したら（これは、完全に支払いモジュール１１０により、または支払いモジュール１１０と制御モジュール２００により実行される処理工程の組合せを介して、行われてもよい）、制御モジュール２００は、次のユーザの選択を承認されているものと承諾し、所望の飲料充填容器が飲料送出モジュール１５０に送出されるように、適切な対応信号を送達モジュール１７０に提供する。
【００１１】
制御モジュール２００は、処理モジュール２０２およびメモリモジュール２０４を備えている。処理モジュール２０２は、従来型のマイクロプロセッサであってもよく、リアルタイム時刻装置などの時間記録素子（図示せず）を備えてもよい。メモリモジュール２０４は、異なるタイプのメモリの組合せであっても、読み出し専用、プログラム可能、またはそれらの組合せであってもよい。これらの特徴は別々に示されているが、それらは、処理能力およびメモリの両方を備えた単一モジュールに組み込まれてもよい。代わりの実施の形態において、様々な特徴が他の様式で多数のシステムに分割されてもよく、それゆえ、図２に示された実施の形態は、物理的設計を提示するよりもむしろ、理論構造に向けられている。随意的な通信モジュール２０６も示されている。ある実施の形態において、自動販売システム１０の使用に関する統計を、メモリモジュール２０４内に格納でき、認証されたユーザに適時に提供できる。随意的な通信モジュール２０６は、システムの要求に応じて、無線通信を可能にしても、または有線接続であってもよい。
【００１２】
飲料充填容器を所望の温度に維持するために、自動販売機内に貯蔵されている飲料充填容器の少なくとも一部が、冷蔵モジュール２２０内に配置されている。送達モジュール１７０は、冷蔵モジュール２２０から飲料充填容器を選択し、その容器を所望の様式で飲料送出モジュール１５０に送出するように構成されている。この点に関して、飲料充填容器が第１の位置から第２の位置までどのように動かされるかには様々なバリエーションが存在し、それゆえ、この開示は、その点に関して、制限的であることを意図していないことに留意すべきである。さらに、図３および４に示された表記は、単に、例示の実例を示したものであり、様々な構成部品の他の構成部品に対する位置におけるバリエーションが考えられる。
【００１３】
飲料充填容器を冷たく維持するために、冷却モジュール２３０が、冷蔵モジュール２２０内に位置するのが示されている。冷却モジュール２３０は、冷蔵モジュール２２０から熱を除去し、その熱を熱排除モジュール２５０に送達する。次いで、熱排除モジュール２５０は、その熱を自動販売システム１０から放出する。
【００１４】
様々なバリエーションが可能であるが、図４は、冷蔵モジュール２２０および熱排除モジュール２５０の実施の形態の様々な構成部品のレイアウト図を示している。冷蔵モジュール２２０は、チャンバ２２５を備えており、チャンバ２２５の内部２２９に配置された温度センサ２２７を備えてもよい。ある実施の形態において、温度センサ２２７は、チャンバ２２５の内部温度に対応する信号を提供する。
【００１５】
冷却モジュール２３０が、チャンバ２２５内に配置されており、蒸発器（または第１の熱交換器）２３５、蒸発器２３５上またはそれに隣接して位置してよい随意的なセンサ２３７、蒸発器ファン２４０および蒸発器ファン２４０を駆動するファンモータ２４５を備えているのが示されている。センサ２３７は、従来の温度センサなどの、蒸発器が凍結しているか否かを判定するために使用できるいずれのタイプのセンサであってもよい。しかしながら、蒸発器２３５の霜を取るための加熱素子が図示されていないことに留意すべきである。何故ならば、これは、少なくともいくつかの実施の形態において、システムの費用を減らすために、加熱素子が含まれていないからである。この省略については以下により多くが述べられる。
【００１６】
動作において、冷液（一般に、あるタイプの従来の冷却剤から形成される）が蒸発器中に向けられる。蒸発器ファン２４０は、空気を蒸発器２３５に向け、そこを横切らせ、空気からの熱は、吸収され、蒸発器内の液体をガスに転化させるのに用いられる。この相変化は、相当な量の熱を吸収し、それゆえ、蒸発器上を流れる空気を冷却するように働く。よって、その効果は、蒸発器ファン２４０により、冷気が蒸発器２３５から放出されて、チャンバ２２５中に向けられ、そこで、その内部が所望の温度に維持される。冷蔵システムのタイプに応じて、蒸発器２３５から出る冷却剤の相はほとんどまたは完全にガス状であろう。
【００１７】
これにより、熱をチャンバ２２５から除去することができ、それゆえ、チャンバ２２５内にある飲料を所望の冷温に維持するように働くのが分かる。しかしながら、冷蔵システムを効果的にするために、次いで、熱は、チャンバからの余分な熱を吸収できるように、システムから排除しなければならない。
【００１８】
熱を排除するために、熱排除モジュール２５０が設けられている。冷たいガス状冷却剤が圧縮機２５５に向けられる。圧縮機２５５は、冷却剤を高圧ガスに圧縮し、この過程でその温度を上昇させ、次いで、熱気を凝縮器（または第２の熱交換器）２６０に向ける。凝縮器２６０により、高温ガスが熱を雰囲気中（例えば、システムの外部）に放出させ、この過程で冷却剤を液体に凝縮させる。次いで、この温／熱高圧液体は、膨張弁２６５に向けられる。圧力の降下により、液体が冷却される。次いで、冷液は蒸発器２３５に入り、これまでの過程が繰り返される。
【００１９】
熱排除モジュール２５０は、モータ２７５により駆動される随意的なファン２７０を備えているのが示されている。ファン２７０を使用することにより、凝縮器２６０のサイズを減少させることができる。そうでなければ、凝縮器のサイズは、受動的な熱排除技法のみしか用いられなかった場合には、十分な熱を放射するために、より大きい必要があるであろう。その上、ファンを使用することは、熱気をハウジング５０から放出するのに役立つ。このことは、凝縮器２６０がハウジング５０内に収容される場合に、特に役立つであろう。凝縮器２６０の温度などの、動作の所望のパラメータを検出するために、凝縮器２６０にセンサ２６２が設けられていてもよい。
【００２０】
図５は、冷却された飲料を消費者に提供するために用いられる方法を示している。最初に、工程５１０において、チャンバ２２５内に追加の冷却が要求されると判定される。これは、チャンバ２２５内に配置されたセンサ２２７から受信した信号に基づくであろうと認識できる。あるいは、外部温度と組み合わされた時間に基づくアルゴリズムを用いることまたはチャンバの外部であるが密接に近接して配置されたセンサを使用することなどの、冷却の必要性を判定する他の方法を実施してもよい。
【００２１】
次いで、工程５１５において、圧縮機２５５および蒸発器ファン２４０がオンにされる。これが反復動作の第１部分である。それゆえ、ここに用いたように、反復動作は、圧縮機および／または蒸発器ファンを作動させまたはオンにし、次いで、それをオフにすることを称する。それゆえ、ある構成部品の反復動作は、その構成部品をオン状態に切り換え、次いで、この構成部品をオフ状態に切り換えることを含む。オン状態は、いくつかの断続的な停止と始動を含むが、一般に、一時期に亘り連続的であることに留意されたい。したがって、工程５１５において、圧縮機２５５および蒸発器ファン２４０の両方がオン状態に切り換えられる。
【００２２】
ある実施の形態において、オン状態とオフ状態の間の切換えは、圧縮機２５５および蒸発器ファン２４０の両方について、実質的に同時である。代わりの実施の形態において、蒸発器ファン２４０は、オンにされる前に、所定の遅延を有する。別の実施の形態において、蒸発器ファン２４０は、圧縮機２５５がオンにされた後にオンにされるが、蒸発器２３５の温度を示す温度センサ（または他のタイプのセンサ）に蒸発器ファン２４０が関連付けられるオン状態への切換えの実際のタイミングは、状態変化が生じるべきようなものである。例えば、ある実施の形態において、蒸発器ファン２４０は、蒸発器２３５がチャンバの内部２２９の温度より低くなるまで、オンにされるのが遅延されるであろう。
【００２３】
次に、工程５２０において、圧縮機２５５および蒸発器ファン２４０がオフに切り換えられる。これが反復動作の第２部分である。ある実施の形態において、蒸発器ファン２４０のオフへの切換えは、圧縮機２５５のオフへの切換えと実質的に同時である。代わりの実施の形態において、蒸発器ファン２４０は、圧縮機２５５がオフにされた後にオフにされてもよい。その遅延は、所定の遅延であっても、またはセンサから受信された信号に基づいてもよい。例えば、蒸発器ファン２４０は、蒸発器２３５の温度がチャンバの内部２２９の温度に近くなるか等しくなったら、一旦、停止されてもよい。
【００２４】
それゆえ、蒸発器ファン２４０の反復動作は、圧縮機２５５の反復動作と同時である（例えば、直接基づく）。蒸発器ファン２４０が絶えず運転したままにならないので、この手法により、エネルギー消費が最小になることが認識されよう。この点に関して、蒸発器２３５の霜を取るための加熱素子がないことは、ある実施の形態にとって重要である。何故ならば、一般に、蒸発器ファン２４０を圧縮機２５５とともに反復動作させる試みには、蒸発器２３５の霜を取るための加熱素子を使用する必要があると考えられるからである。ここで、システムの温度により、蒸発器２３５の霜取りを必要とせずに、システムが適切に機能することが可能になることが発見された。その上、蒸発器ファン２４０を定期的に反復動作させることによって、必要とされる霜取りに対処できる。それゆえ、最小の熱しかシステムに加えられず、蒸発器ファン２４０を連続的に運転させるのに要するエネルギーが避けられる。これには、著しい効率利得を提供するという利点がある。例えば、選択された自動販売システム１０の構成に応じて、約３０パーセントの範囲のエネルギー消費の減少が可能である。
【００２５】
次に、工程５２５において、商品の要求が受理される。一般に、これには、ある種類の通貨で直接的に、またはユーザに属する口座に関連するクレジットカードまたは他の機構により電子的に、ユーザが支払いを行うことを含む。ユーザ・インターフェース１００は、支払いが受理されたことを示し、さらに、ユーザに、ユーザが選択を行うべきであることを示すスクリーンを備えてよい。一旦、ユーザが支払いを行ったら、次いで、ユーザは選択を行う。一般に、選択工程は、ユーザが、ハウジングに表示された絵や写真に関連する、ボタンなどの選択要素１２２を作動させることを含む。
【００２６】
次いで、工程５３０において、商品が送達される。上述したように、特に、飲料充填容器の送出がどのように行われるかについて、バリエーションが存在する。例えば、重力に基づく送達システムおよびコンベヤに基づく送達システムが、飲料充填容器を送達する例示の方法である。しかしながら、飲料充填容器以外の商品が送達される場合、送達システムは、適切に構成すべきである。それゆえ、商品を冷蔵チャンバから、ユーザがその商品を取ることのできる位置まで移送するのに使用される技法は、重要ではなく、この開示は、この点に関して、制限することを意図していない。
【００２７】
図６は、蒸発器ファン６０２が圧縮機６０４と同調して運転されている自動販売機配線図を示している。従来技術のシステムは、点６０６と６０８の間の接続を含み、点６１２と６１４の間の導線６１０は含まない。従来技術のシステムについて、蒸発器ファン６０２の制御は、圧縮機６０４の制御から独立している。点６０６と６０８の間の接続を除去し、点６１２と６１４の間に導線６１０を提供することにより、電力が蒸発器ファン６０２および圧縮機６０４に同時に印加される。蒸発器ファン６０２を圧縮機６０４と同調して運転することによって、蒸発器に結氷を蓄積させずに、エネルギーを節約することができる。ある実施の形態において、冷却チャンバと冷却チャンバ内の製品を暖めずに、また製品の仕様内に維持して、エネルギーが節約されるであろう。
【００２８】
本発明を、その好ましい例示の実施の形態に関して記載してきた。この開示を検討すれば、当業者には、添付の特許請求の範囲の精神内で数多くの他の実施の形態、改変およびバリエーションが想起されるであろう。
【図面の簡単な説明】
【００２９】
【図１】自動販売機の実施の形態の等角図
【図２】自動販売機システムの実施の形態の概略図
【図３】自動販売機の制御システムの実施の形態の部分概略図
【図４】自動販売機の冷却システムの実施の形態のレイアウト図
【図５】本発明の１つ以上の態様による、冷却飲料を提供する方法を示す流れ図
【図６】本発明の実施の形態による、蒸発器ファンが圧縮機と同時に運転される自動販売機の配線図
【符号の説明】
【００３０】
１０    自動販売システム
５０    ハウジング
１００    スクリーン
１２２    選択要素
１５０    飲料送出モジュール
１７０    送達モジュール
２００    制御モジュール
２０２    処理モジュール
２２０    冷蔵モジュール
２３０    冷却モジュール
２２５    チャンバ
２３５    蒸発器
２４０，６０２    蒸発器ファン
２５０    熱排除モジュール
２５５，６０４    圧縮機
２６０    凝縮器
【図１】
0005166215.tif 000002
【図２】
0005166215.tif 000003
【図３】
0005166215.tif 000004
【図４】
0005166215.tif 000005
【図５】
0005166215.tif 000006
【図６】
0005166215.tif 000007